(57)【特許請求の範囲】
【請求項１】
寝台装置に設けられた支持筒体に取付けられる補助柵であって、
前記支持筒体に取付けられる取付け部と、点滴支持具が着脱可能に取付けられる被取付け部と、
を備え、
前記取付け部と前記被取付け部とが同心に設けられ、
前記補助柵は、前記寝台装置の寝台装置本体に複数立設された壁状部材同士の間に位置する部分に取付けられ、前記壁状部材同士の間の隙間を埋めることを特徴とする補助柵。
【請求項２】
前記被取付け部には、前記被取付け部及び前記点滴支持具の取付け部の相対回転を規制し、上方に向けて突出し、かつ径方向に延びる回転規制部が設けられていることを特徴とする請求項１に記載の補助柵。
【請求項３】
支持筒体が設けられた寝台装置であって、
前記支持筒体には、請求項１又は２に記載の補助柵が取付けられることを特徴とする寝台装置。
【請求項４】
前記寝台装置は、寝台装置本体と、前記寝台装置本体の外周縁部に複数立設された壁状部材と、を備え、
前記壁状部材には、前記補助柵が収容される収容部が配設されていることを特徴とする請求項３に記載の寝台装置。
【請求項５】
前記収容部には、前記壁状部材の上端縁に引っ掛けられるフック部と、前記寝台装置本体の外側で、前記補助柵を該補助柵の下側から保持する保持部と、が形成されていることを特徴とする請求項４に記載の寝台装置。
【発明の詳細な説明】
【技術分野】
【０００１】
本発明は、補助柵及び寝台装置に関する。
【背景技術】
【０００２】
従来、例えば下記特許文献１に示されるように、点滴支持具が取付けられる支持筒体が設けられた寝台装置が知られている。
【先行技術文献】
【特許文献】
【０００３】
【特許文献１】特開２００２−３３１００２号公報
【発明の概要】
【発明が解決しようとする課題】
【０００４】
しかしながら、前記従来の寝台装置では、寝台装置に点滴支持具を取付けると、寝台装置に補助柵を取付けることができなかった。
【０００５】
本発明は前述した事情に鑑みてなされたものであって、寝台装置に、点滴支持具及び補助柵を同時に取付けることができる補助柵を提供することを目的としている。
【課題を解決するための手段】
【０００６】
前記課題を解決するために、本発明は以下の手段を提案している。
（１）本発明に係る補助柵は、寝台装置に設けられた支持筒体に取付けられる補助柵であって、前記支持筒体に取付けられる取付け部と、点滴支持具が取付けられる被取付け部と、を備えていることを特徴とする。
【０００７】
この発明によれば、補助柵が、点滴支持具の取付け部が取付けられる被取付け部を備えているので、補助柵を寝台装置の支持筒体に取付けた状態で、点滴支持具を補助柵の被取付け部に取付けることができる。これにより、寝台装置に、点滴支持具及び補助柵を同時に取付けることができる。
【０００８】
（２）上記（１）に係る補助柵では、前記被取付け部には、前記被取付け部及び前記点滴支持具の取付け部の相対回転を規制する回転規制部が設けられていてもよい。
【０００９】
この場合、補助柵の被取付け部に、該被取付け部及び点滴支持具の取付け部の相対回転を規制する回転規制部が設けられているので、補助柵の被取付け部に対して、点滴支持具が回転することによる位置ずれを起こすことがない。
【００１０】
（３）上記（１）又は（２）に係る補助柵は、前記寝台装置の寝台装置本体に、複数立設された壁状部材同士の間に位置する部分に取付けられ、前記壁状部材同士の間の隙間を埋めてもよい。
【００１１】
この場合、補助柵により、寝台装置本体に立設された壁状部材の間の隙間を埋めることができ、寝台装置本体上の物等が、前記隙間を通して外部にでてしまうのを抑制することができる。
【００１２】
（４）本発明の寝台装置は、支持筒体が設けられた寝台装置であって、前記支持筒体には、上記（１）から（３）のいずれか１項に記載の補助柵が取付けられることを特徴とする。
【００１３】
この発明によれば、寝台装置に設けられた支持筒体に、補助柵を取付けると、該補助柵の被取付け部に、点滴支持具を取付けることができる。これにより、寝台装置に、点滴支持具及び補助柵を同時に取付けることができる。
【００１４】
（５）上記（４）に係る寝台装置では、前記寝台装置は、寝台装置本体と、前記寝台装置本体の外周縁部に複数立設された壁状部材と、を備え、前記壁状部材には、前記補助柵が収容される収容部が配設されていてもよい。
【００１５】
この場合、寝台装置が、寝台装置本体に立設された壁状部材を備え、壁状部材に補助柵が収容される収容部が配設されているので、補助柵の不使用時の取扱性を向上することができる。
【００１６】
（６）上記（５）に係る寝台装置では、前記収容部には、前記壁状部材の上端縁に引っ掛けられるフック部と、前記寝台装置本体の外側で、前記補助柵を該補助柵の下側から保持する保持部と、が形成されていてもよい。
【００１７】
この場合、収容部に形成された保持部により、補助柵を下側から保持した状態で、収容部に形成されたフック部により、収容部を壁状部材の上端縁に引っ掛けると、補助柵を寝台装置本体の外側に収容することができるので、寝台装置の使用者の邪魔にならない場所で補助柵を収容することができる。
【発明の効果】
【００１８】
本発明によれば、寝台装置に、点滴支持具及び補助柵を同時に取付けることができる。
【図面の簡単な説明】
【００１９】
【図１】本発明の一実施形態に係る寝台装置の斜視図である。
【図２】図１に示す寝台装置の側面図である。
【図３】図１に示す寝台装置の上面図である。
【図４】図１に示す寝台装置の下面図である。
【図５】図２に示す寝台装置において寝台を上昇させた状態を示す側面図である。
【図６】図１に示す寝台装置において背ボトム及び脚ボトムを回動させた状態を示す斜視図である。
【図７】本発明の一実施形態に係る補助柵の斜視図である。
【図８】図７に示す補助柵の取付けロッドの縦断面図である。
【図９】本発明の一実施形態に係る寝台装置の収容部の斜視図である。
【図１０】図９に示す収容部を寝台装置のボードに引っ掛けた状態を示す斜視図である。
【図１１】図１に示す寝台装置に補助柵を収容した状態を示す斜視図である。
【発明を実施するための形態】
【００２０】
本発明の一実施形態に係る寝台装置１０を、図１から図１１に基づいて以下に説明する。寝台装置１０は、例えば、医療環境下（介護環境下を含む）において、一般床ベッドやＩＣＵベッド等として利用することができる。図１から図１１において、矢印Ｈは人（使用者）が寝る際に頭側Ｈとなる向きを示し、また矢印Ｆは人が寝る際に足側Ｆとなる向きを示している。以下の説明においては、矢印Ｈ、Ｆの方向である前後方向に対して直交する水平方向を左右方向と言う場合が有る。前後方向及び左右方向は、いずれも水平方向に沿う方向であるとともに、互いに直交する方向である。
【００２１】
図１から図６に示すように、寝台装置１０は、寝台装置本体１７と、寝台装置本体１７の外周縁部に複数立設された壁状部材１８と、を備えている。寝台装置本体１７は、寝台１１と、支持架台１２と、補助柵１５と、駆動機構１６と、を備え、壁状部材１８は、柵体１３と、ボード１４と、を備えている。寝台装置１０は、電力を動力源とするいわゆる電動ベッドである。
寝台１１は、上面視した場合に左右方向よりも前後方向に長い。寝台１１の長手方向は前後方向とされ、寝台１１の短手方向は左右方向となっている。寝台１１上には、図示しないマットレスが配置される。寝台１１には、前記マットレスを介して使用者が横たわる。
【００２２】
寝台１１は、背ボトム２１と、腰ボトム２２と、脚ボトム２３と、を備えている。これらの背ボトム２１、腰ボトム２２及び脚ボトム２３は、頭側Ｈから足側Ｆに向けてこの順に並んでいる。背ボトム２１は、使用者の背を支える。腰ボトム２２は、使用者の腰を支える。脚ボトム２３は、使用者の脚を支える。
脚ボトム２３は、膝ボトム２４と、足ボトム２５と、を備えている。これらの膝ボトム２４及び足ボトム２５は、頭側Ｈから足側Ｆに向けてこの順に並んでいる。膝ボトム２４は、使用者の膝から腰を支える。足ボトム２５は、使用者の膝から足先を支える。
【００２３】
支持架台１２は、寝台１１を支持する。支持架台１２は、寝台１１、及び寝台１１上の使用者それぞれの荷重を受け止める。図２及び図４に示すように、支持架台１２は、ベースフレーム３１と、メインフレーム３２と、昇降機構３３と、を備えている。
ベースフレーム３１は、接地面に接地される。ベースフレーム３１は、平面視において矩形状をなす。ベースフレーム３１は、前後方向に延びる第１縦部材３４と、左右方向に延びる第１横部材３５と、接地面に接地する接地部３６と、を備えている。
【００２４】
第１縦部材３４は、左右方向に間隔をあけて一対設けられている。
第１横部材３５は、左右一対の第１縦部材３４間に架設されている。第１横部材３５は、左右一対の第１縦部材３４を左右方向に連結している。第１横部材３５は、前後方向に間隔をあけて一対設けられている。第１横部材３５は、第１縦部材３４に移動不能に固定されている。第１横部材３５は、第１縦部材３４に溶接（固着）されている。
【００２５】
接地部３６は、第１縦部材３４の前後方向の端部に設けられている。第１縦部材３４の前後方向の端部は、第１横部材３５よりも前後方向の外側に突出している。なお図示の例では、接地部３６として、キャスターを採用しているが、キャスターに代えてゴムカバーを採用することも可能である。
【００２６】
メインフレーム３２は、寝台１１を支持する。メインフレーム３２は、平面視において矩形状をなす。メインフレーム３２は、前後方向に延びる第２縦部材３７と、左右方向に延びる第２横部材３８と、補助柵１５を取り付ける支持筒体３９と、を備えている。
【００２７】
第２縦部材３７は、左右方向に間隔をあけて一対設けられている。
第２横部材３８は、左右一対の第２縦部材３７を左右方向に連結している。第２横部材３８は、前後方向に間隔をあけて一対設けられている。第２横部材３８は、第２縦部材３７に移動不能に固定されている。第２横部材３８は、第２縦部材３７に溶接（固着）されている。第２横部材３８の左右方向の端部は、第２縦部材３７よりも左右方向に突出している。
支持筒体３９は、第２横部材３８の左右方向の端部に設けられている。
【００２８】
図４及び図５に示すように、昇降機構３３は、メインフレーム３２をベースフレーム３１に対して昇降自在に連結する。昇降機構３３は、前後一対の昇降ユニット４０を備えている。一対の昇降ユニット４０は、腰ボトム２２を前後方向に挟むように配置されている。各昇降ユニット４０は、左右一対のリンク機構４１と、左右一対のリンク機構４１を連結する連結部材４２と、を備えている。前後一対の昇降ユニット４０が並行に作動することで、昇降機構３３が寝台１１を昇降させる。
【００２９】
図１及び図６に示すように、支持架台１２は、背ボトム２１及び脚ボトム２３（可動ボトム）を、左右方向に延びる回動軸２６回りに回動自在に支持している。寝台装置１０は、いわゆるギャッチベットとなっている。本実施形態では、腰ボトム２２が支持架台１２に固定され、背ボトム２１及び脚ボトム２３が、回動軸２６を介して腰ボトム２２に回動自在に連結されている。
【００３０】
回動軸２６は、背ボトム２１と腰ボトム２２とを連結する第１回動軸２６ａと、脚ボトム２３と腰ボトム２２とを連結する第２回動軸２６ｂと、を備えている。
なお、膝ボトム２４と足ボトム２５とは、左右方向に延びる屈曲軸２７回りに回動自在に連結されている。そのため、脚ボトム２３が第２回動軸２６ｂ回りに回動すると、屈曲軸２７が頂点をなすように、脚ボトム２３が上方に向けて屈曲する。
【００３１】
ボード１４は、寝台装置本体１７の外周縁部であって、支持架台１２における前後方向の両端部に左右方向に沿って配置されている。ボード１４は、表裏面が前後方向を向く板状に形成されている。ボード１４は、支持架台１２に着脱自在に装着されている。ボード１４は、頭側Ｈに位置するヘッドボード１４ａと、足側Ｆに位置するフットボード１４ｂと、を備えている。
【００３２】
柵体１３は、寝台装置本体１７の外周縁部であって、支持架台１２における左右方向の端部に前後方向に沿って配置されている。本実施形態では、柵体１３は、支持架台１２に対して左右方向の両側に配置されている。柵体１３は、前後方向に間隔をあけて一対、設けられている。柵体１３は、支持架台１２に昇降自在に連結されている。
【００３３】
柵体１３は、前後方向に沿う頭側Ｈに偏って配置されている。寝台装置１０を左右方向から見た側面視において、柵体１３は、ヘッドボード１４ａに対して近接し、フットボード１４ｂに対して離間している。
補助柵１５は、支持筒体３９に着脱自在に装着されている。補助柵１５は、複数の壁状部材１８間の隙間を埋めており、前記側面視における柵体１３とフットボード１４ｂとの間の隙間を塞いでいる。
【００３４】
図４に示すように、駆動機構１６は、支持架台１２に取り付けられる。駆動機構１６は、複数設けられている。複数の駆動機構１６は、寝台１１の下方に配置されている。駆動機構１６は、寝台１１及び支持架台１２のうちの少なくとも一部である可動部を移動させる。駆動機構１６は、前後方向に伸縮する直動アクチュエータとされ、前後方向に伸縮することで前記可動部を移動させる。
【００３５】
駆動機構１６は、可動部としての寝台１１を昇降させる昇降駆動機構５１と、可動部としての背ボトム２１または脚ボトム２３（可動ボトム）を回動させる回動駆動機構５２と、を備えている。
昇降駆動機構５１は、昇降機構３３に駆動力を伝達してメインフレーム３２をベースフレーム３１に対して昇降させる。昇降駆動機構５１は、複数設けられている。昇降駆動機構５１は、前後方向に一対設けられている。一対の昇降駆動機構５１は、寝台１１における左右方向の中央部に配置されている。
【００３６】
各昇降駆動機構５１の前後方向の両端部は、メインフレーム３２と、昇降ユニット４０と、にそれぞれ取り付けられている。頭側Ｈの昇降駆動機構５１では、頭側Ｈの端部が、頭側Ｈの昇降ユニット４０に取り付けられ、足側Ｆの端部が、メインフレーム３２に取り付けられている。足側Ｆの昇降駆動機構５１では、足側Ｆの端部が、足側Ｆの昇降ユニット４０に取り付けられ、頭側Ｈの端部が、メインフレーム３２に取り付けられている。
【００３７】
回動駆動機構５２は、背ボトム２１を回動させる第１駆動機構５３と、脚ボトム２３を回動させる第２駆動機構５４と、を備えている。第１駆動機構５３及び第２駆動機構５４は、昇降駆動機構５１を左右方向に挟むように配置されている。各回動駆動機構５２の前後方向の両端部は、支持架台１２と、背ボトム２１または脚ボトム２３と、にそれぞれ取り付けられている。
【００３８】
そして本実施形態では、図７に示すように、補助柵１５は、支持筒体３９に取付けられる取付け部６１と、点滴支持具が取付けられる被取付け部６２と、を備えている。また、取付け部６１及び被取付け部６２は、上面視において少なくとも一部同士が互いに重なっている。図示の例では、取付け部６１は被取付け部６２よりも小径に形成され、上面視において、取付け部６１の全体が被取付け部６２に重なっている。
【００３９】
図７に示すように、補助柵１５は、左右方向から見た正面視において矩形状をなす平板部材６３と、平板部材６３の外周縁における下端部に接続され、上下方向に沿って延びる取付けロッド６０と、平板部材６３と取付けロッド６０とを接続し、上下方向に沿って延びる接続部材６４と、を備えている。平板部材６３は、矩形状の金属板の外表面を、ウレタン材と合成皮革とにより被覆した構造となっており、前記金属板の下端部に、接続部材６４が一体に形成されている。接続部材６４は上下方向に長い長方形状を呈している。
取付けロッド６０は、接続部材６４に溶接（固着）されている。また、取付けロッド６０の下端部には、下方に向けて開口する溝部６０ａが形成されている。溝部６０ａは、支持筒体３９の下端部を径方向に沿って貫く図示しない回転規制ピン３９ａと係合する。
【００４０】
図７及び図８に示すように、取付けロッド６０は、支持筒体３９内に嵌合される取付け部６１と、取付け部６１から上方に向けて延び、上方に向けて開口する嵌合孔６２ａが形成された被取付け部６２と、を備えている。接続部材６４は、被取付け部６２の外周面に溶接（固着）されている。
ここで本実施形態では、嵌合孔６２ａが被取付け部６２における上下方向の全長にわたって形成されており、被取付け部６２は上下方向に延びる筒状に形成されている。取付け部６１は中実の軸体である。取付け部６１の上端部が、被取付け部６２の嵌合孔６２ａ内に、被取付け部６２の下方から嵌合されている。
【００４１】
取付け部６１の上端部の外周面には、全周にわたって径方向の外側に向けて突出する鍔部６１ａが形成されている。鍔部６１ａは、取付け部６１が被取付け部６２に嵌合された際に、被取付け部６２の下端開口縁と当接することで、取付け部６１及び被取付け部６２の互いの軸方向の位置決めをする。取付け部６１及び被取付け部６２はともにスチール製となっている。
【００４２】
なお、上記構成に限られず、取付け部６１が筒体で、被取付け部６２が中実の軸体となってもよいし、嵌合孔６２ａが取付け部６１に形成されていてもよく、取付け部６１及び被取付け部６２は、上面視において一部同士のみが互いに重なっていてもよい。
また、取付け部６１及び被取付け部６２は、スチール製に限られず、他の金属製であってもよいし、金属以外の材質で有ってもよく、互いに異なる材質であってもよい。
【００４３】
また本実施形態では、点滴支持具９０の取付け部９０ａは、被取付け部６２の嵌合孔６２ａ内に取付けられ、嵌合孔６２ａ内には、被取付け部６２及び点滴支持具９０の取付け部９０ａの中心軸線Ｏ回りの相対回転を規制する回転規制部６５が設けられている。回転規制部６５は被取付け部６２の内部に設けられ、周方向を向く規制面６１ｃを備えている。
図示の例では、回転規制部６５は、取付け部６１の上端面に形成され、上方に向けて突出し、かつ径方向に延びている。
【００４４】
例えば点滴用のＩＶポール等のような点滴支持具９０が被取付け部６２に取付けられると、点滴支持具９０の取付け部９０ａの下端部に形成され、下方に向けて開口する溝部９０ｂが、被取付け部６２内の回転規制部６５と係合する。このため、当該点滴支持具９０に、被取付け部６２の中心軸線Ｏ周りに回転する力が加えられたとしても、回転規制部６５の規制面６１ｃにより、点滴支持具９０が被取付け部６２に対して回転するのを規制することができる。
【００４５】
なお、上記構成に限られず、例えば点滴支持具９０に取付け孔が形成され、この取付け孔内に被取付け部６２が嵌合されていてもよい。また、回転規制部６５は取付け部６１に形成されていなくてもよく、例えば被取付け部６２の内周面や端縁等に形成されていてもよい。
【００４６】
また本実施形態では、寝台装置１０の壁状部材１８に、補助柵１５が収容される収容部７０が配設されている。図示の例では、図９及び図１０に示すように、収容部７０は金属製の部材であり、壁状部材１８のうち、ボード１４の上端縁に引っ掛けられている。収容部７０は、ボード１４の上端縁に引っ掛けられるフック部７１と、寝台装置本体１７の外側で、補助柵１５を該補助柵１５の下側から保持する保持部７２と、フック部７１と保持部７２とを連結する連結部７３と、を備えている。
【００４７】
フック部７１は、収容部７０の上端部に配設され、保持部７２は、収容部７０の下端部に配設されている。フック部７１は下方に向けて開口するＣ字状に形成され、保持部７２は上方に向けて開口するＣ字状に形成されている。フック部７１及び保持部７２は、左右方向に間隔を開けて一対配設されている。
なお、収容部７０はボード１４以外の壁状部材１８の上端縁に引っ掛けられてもよい。
【００４８】
連結部７３は、上下方向に延びるとともに、左右方向に間隔を開けて配設された一対の縦部７３ａと、左右方向に延びるとともに、これらの縦部７３ａ同士を連結する横部７３ｂと、を備えている。横部７３ｂは、縦部７３ａの上下方向の中央部に連結されている。縦部７３ａの上端部にフック部７１が配設され、縦部７３ａの下端部に保持部７２が配設されている。
【００４９】
また、保持部７２は、取付け部６１が嵌合される支持部７２ａを備えている。支持部７２ａは、左右方向に一対配置された保持部７２のうち、一方側に設けられており、上方を向いて開口する筒状体である。
図１１に示すように、支持部７２ａ内に、補助柵１５の取付け部６１を支持部７２ａの上方から嵌合し、他方側の保持部７２により平板部材６３の外表面の下端部を下側から保持する。このように、取付け部６１が、支持部７２ａ内に嵌合され、かつ平板部材６３の外表面の下端部が、他方側の保持部７２に下側から保持されることによって、補助柵１５は収容部７０に収容される。
図示の例では、支持部７２ａは前後方向に２つ連なって接続されており、例えば寝台装置１０の左右両側に補助柵１５が取付けられる場合であっても、２つの補助柵１５を同時に収容することができる。なお、支持部７２ａは筒状体でなくてもよい。
【００５０】
以上説明したように、本実施形態に係る補助柵１５によれば、点滴支持具９０の取付け部９０ａが取付けられる被取付け部６２を備えているので、補助柵１５を寝台装置１０の支持筒体３９に取付けた状態で、点滴支持具９０を補助柵１５の被取付け部６２に取付けることができる。これにより、寝台装置１０に点滴支持具９０及び補助柵１５を、同時に取付けることができる。
【００５１】
取付け部６１及び被取付け部６２は、上面視において少なくとも一部同士が互いに重なっている。したがって、寝台装置１０に補助柵１５を取付けると、寝台装置１０に設けられた支持筒体３９の上方に被取付け部６２が位置することになる。このため、補助柵１５の被取付け部６２に、点滴支持具９０を取付けると、支持筒体３９が、点滴支持具９０の荷重を受けることができる。これにより、仮に取付け部６１と被取付け部６２とが、上面視において重なっていない異なる構成の場合のように、点滴支持具９０の荷重により、補助柵１５に支持筒体３９周りのモーメント荷重が作用することを抑制し、補助柵１５の姿勢が不安定になるのを抑えることができる。
【００５２】
取付け部６１は、被取付け部６２に形成された嵌合孔６２ａ内に嵌合されている。したがって、取付け部６１及び被取付け部６２が、径方向にずれることを防ぎ、互いの位置を固定することができる。
また、点滴支持具９０の取付け部９０ａは、被取付け部６２の嵌合孔６２ａ内に取付けられ、嵌合孔６２ａ内には、被取付け部６２及び点滴支持具９０の取付け部９０ａの相対回転を規制する回転規制部６５が設けられている。したがって、補助柵１５の被取付け部６２に対して、点滴支持具９０が回転することによる位置ずれを起こすことがない。
【００５３】
また補助柵１５が、寝台装置１０において、寝台装置本体１７の外周縁部のうち、複数立設された壁状部材１８同士の間に位置する部分に取付けられ、前記壁状部材１８の間の隙間を埋める。したがって、寝台装置本体１７の外周縁部を囲むように立設された壁状部材１８の間の隙間を埋めることができ、寝台装置本体１７上の物等が、前記隙間を通して外部にでてしまうのを抑制することができる。
【００５４】
また、本実施形態に係る寝台装置１０によれば、支持筒体３９に、補助柵１５が取付けられる。したがって、補助柵１５の被取付け部６２に、点滴支持具９０を取付けることができる。これにより、寝台装置１０に点滴支持具９０及び補助柵１５を、同時に取付けることができる。
寝台装置１０は、寝台装置本体１７と、寝台装置本体１７の外周縁部に複数立設された壁状部材１８と、を備え、壁状部材１８には、補助柵１５が収容される収容部７０が配設されている。したがって、補助柵１５の不使用時の取扱性を向上することができる。
【００５５】
収容部７０には、壁状部材１８の上端縁に引っ掛けられるフック部７１と、寝台装置本体１７の外側で、補助柵１５を該補助柵１５の下側から保持する保持部７２と、が形成されている。したがって、収容部７０に形成された保持部７２により、補助柵１５を下側から保持した状態で、収容部７０に形成されたフック部７１により、収容部７０を壁状部材１８の上端縁に引っ掛けると、補助柵１５を寝台装置本体１７の外側に収容することができるので、寝台装置１０の使用者の邪魔にならない場所で補助柵１５を収容することができる。
【００５６】
保持部７２には、補助柵１５の取付け部６１が嵌合される支持部７２ａが形成されている。したがって、補助柵１５を収容部７０により収容する際に、補助柵１５の取付け部６１を支持部７２ａに嵌合させることで、補助柵１５を確実に保持することができ、補助柵１５を収容部７０に確実に固定することができる。
【００５７】
なお、本発明の技術的範囲は前記実施形態に限定されるものではなく、本発明の趣旨を逸脱しない範囲において種々の変更を加えることが可能である。
【００５８】
例えば、上記実施形態においては、取付け部６１及び被取付け部６２は、上面視において少なくとも一部同士が互いに重なっている構成を示したが、このような態様に限られない。取付け部及び被取付け部は、上面視において互いに重なっていなくてもよい。
【００５９】
また、取付け部６１は、被取付け部６２に形成された嵌合孔６２ａ内に嵌合されている構成を示したが、このような態様に限られない。取付け部６１及び被取付け部６２は互いに嵌合することなく組み合わされていてもよい。
【００６０】
また、点滴支持具９０の取付け部９０ａは、被取付け部６２に形成された嵌合孔６２ａ内に取付けられ、嵌合孔６２ａ内には、被取付け部６２及び点滴支持具９０の取付け部９０ａの相対回転を規制する回転規制部６５が設けられている構成を示したが、このような態様に限られない。嵌合孔内に回転規制部が設けられていなくてもよいし、点滴支持具９０の取付け部は、被取付け部に嵌合することなく取付けられていてもよい。
【００６１】
また、補助柵１５は、寝台装置１０において、寝台装置本体１７に複数立設された壁状部材１８の間に位置する部分に取付けられ、複数の壁状部材１８間の隙間を埋める付属柵である構成を示したが、このような態様に限られない。補助柵１５は複数の壁状部材１８間の隙間を埋めなくてもよい。
【００６２】
また、寝台装置１０の壁状部材１８には、補助柵１５が収容される収容部７０が配設されている構成を示したが、この様な態様に限られず、壁状部材に収容部が配設されていなくてもよい。
また、収容部７０の上端部には、フック部７１が形成され、収容部７０の下端部には、保持部７２が形成されている構成を示したが、このような態様に限られず、収容部には、フック部及び保持部が形成されていなくてもよい。
また、保持部７２には支持部７２ａが形成されている構成を示したが、このような態様に限られず、保持部に支持部が形成されていなくてもよい。
【００６３】
また、寝台装置１０が、壁状部材１８として、柵体１３と、ボード１４と、を備えている構成を示したが、このような態様に限られない。寝台装置が、壁状部材として、柵体及びボードのうち、いずれか一方のみを備えていてもよいし、寝台装置が、壁状部材を備えていなくてもよい。
【００６４】
また、背ボトム２１及び脚ボトム２３の両方が回動する可動ボトムとされ、かつ、寝台１１を昇降、傾斜させる昇降機構３３を有する４ＡＣＴ（４モーター）のギャッチベッドを採用したが、本発明はこれに限られない。例えば、傾斜機構を有さない３ＡＣＴ（３モータ）、昇降機構を有さない２ＡＣＴ（２モータ）、背ボトム２１または脚ボトム２３の一方のみが回動する１ＡＣＴ（１モータ）のギャッチベッドを採用することも可能である。１ＡＣＴ（１モータ）のギャッチベッドの場合、寝台装置１０に、背ボトム２１を可動ボトムとした背上げ機能を優先して搭載することができる。つまり、本発明は、背ボトム２１及び脚ボトム２３のうちの少なくとも一方を可動ボトムとした構成を採用することが可能であり、背ボトム２１及び脚ボトム２３のうちの少なくとも背ボトム２１を可動ボトムとした構成を採用することができる。
さらに本発明は、電動式のギャッチベッドへの適用に限られない。本発明は、駆動機構１６の動力が人力である手動式のギャッチベッドにも適用することが可能である。
【００６５】
また、上記実施形態では、寝台装置１０に取付ける寝台用のオプションとして、補助柵１５および点滴支持具９０を例に挙げて説明したが、このような態様に限られない。補助柵１５および点滴支持具９０以外の寝台用のオプションを寝台装置１０に取付けてもよい。
【００６６】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６７】
１０   寝台装置
１４   ボード
１５   補助柵
１７   寝台装置本体
１８   壁状部材
３９   支持筒体
６１   取付け部
６２   被取付け部
６２ａ 嵌合孔
６５   回転規制部
７０   収容部
７１   フック部
７２   保持部
７２ａ 支持部
【図１】
0006704305.tif 000002
【図２】
0006704305.tif 000003
【図３】
0006704305.tif 000004
【図４】
0006704305.tif 000005
【図５】
0006704305.tif 000006
【図６】
0006704305.tif 000007
【図７】
0006704305.tif 000008
【図８】
0006704305.tif 000009
【図９】
0006704305.tif 000010
【図１０】
0006704305.tif 000011
【図１１】
0006704305.tif 000012